(57)【要約】【課題】夜間など光が少ない環境下においても、はっきる見ることができ、安全性を高める暗視球体を提供する。【解決手段】ゴム、ビニール、ＡＢＳ、ＰＶＣなど弾力を有する材料からなり、少なくとも球体の表面に夜光構造層１２を設け、夜光構造層１２の内部に蓄光特性を有する蓄光パウダー１３を混入している。夜光構造層１２を設けることにより蓄光を行い、夜間または光が少ない環境下において、蓄光した光を放出し、はっきり球体１０の位置が分かる。そのため、本来起こりうる事故を未然に防ぐことができる。【選択図】図９
0003198584.tif 000002
【実用新案登録請求の範囲】
【請求項１】
弾力を有する材料からなり、少なくとも球体の表面に夜光構造層を設け、前記夜光構造層の内部に蓄光特性を有する蓄光パウダーを混入していることを特徴とする暗視球体。
【請求項２】
前記夜光構造層は、前記球体の表面にのみ設けられていることを特徴とする請求項１に記載の暗視球体。
【請求項３】
前記夜光構造層は、前記球体の厚さとして設けられていることを特徴とする請求項１に記載の暗視球体。
【請求項４】
前記夜光構造層は、前記球体の全体として設けられていることを特徴とする請求項１に記載の暗視球体。
【請求項５】
前記球体には、凹んだ紋様が表層に設けられ、前記紋様内に蓄光パウダーが塗布されていることを特徴とする請求項１に記載の暗視球体。
【請求項６】
前記球体には、凹んだ紋様が表層に設けられ、前記紋様内に前記球体の色と同じ系統色の蓄光パウダーが塗布されていることを特徴とする請求項１に記載の暗視球体。
【請求項７】
前記球体には、凹んだ紋様が表層に設けられ、前記紋様内に前記球体の色と異なる系統色の蓄光パウダーが塗布されていることを特徴とする請求項１に記載の暗視球体。
【請求項８】
前記球体は、吊るすことで夜光効果を有する夜光インテリアとして用いられることを特徴とする請求項１に記載の暗視球体。
【請求項９】
前記球体は、燐光を利用した屋外広告看板として用いられることを特徴とする請求項１に記載の暗視球体。
【請求項１０】
前記球体は、通路、階段、玄関、又は避難路に利用され、燐光により光源として機能することを特徴とする請求項１に記載の暗視球体。
【考案の詳細な説明】
【技術分野】
【０００１】
本考案は、暗視球体に関し、特に、夜光構造層を設けることにより、夜間など光が少ない環境下においても、はっきり見える暗視球体に関する。
【背景技術】
【０００２】
バスケットボール、バレーボール、サッカーボール、軟式テニスボールなどの充気式ボール、およびスカッシュボール、ゴルフボール、ゲートボールなどの中実ボールは、ゴム、ビニール、ＡＢＳ、ＰＶＣなど弾力を有する材料からなり、充気管およびポンプを用いて充気が行われ、球体の形状にされ、各種球技の使用ニーズに対応した適切な弾性、硬さが与えられていた。
【０００３】
充気式ボールおよび中実ボールに視覚的変化を与える場合、ボールのサイズに制限を受けるため、材料に対して色彩の配合変化を行って単色または混色のボールを製造するか、ボールの機能および特色を考慮して球面に凹んだ紋様を形成するぐらいの選択しかなかった。
【０００４】
充気式ボールおよび中実ボールは、色彩および紋様の変化により形態および視覚的な変化を呈すことができるが、その視覚的効果は、光の十分な環境下に限られ、夜間や薄暗い環境下においては、暗視効果が全くなく、ボールの位置が判明せず、ボールの機能および安全性に悪影響を与えていた。
【先行技術文献】
【特許文献】
【０００５】
【特許文献１】登録実用新案第３０５６３４８号公報
【考案の概要】
【考案が解決しようとする課題】
【０００６】
本考案の目的は、夜間など光が少ない環境下においても、はっきる見ることができ、安全性を高める暗視球体を提供することにある。
【課題を解決するための手段】
【０００７】
上述の目的を達成するため、本考案は、暗視球体を提供する。本考案の暗視球体は、ゴム、ビニール、ＡＢＳ、ＰＶＣなど弾力を有する材料からなり、少なくとも球体の表面に夜光構造層を設け、夜光構造層の内部に蓄光特性を有する蓄光パウダーを混入している。夜光構造層を設けることにより蓄光を行い、夜間または光が少ない環境下において、蓄光した光を放出し、はっきり球体の位置が分かる。そのため、本来起こりうる事故を未然に防ぐことができる。
【考案の効果】
【０００８】
本考案の暗視球体は、夜光構造層を設けることにより蓄光を行い、暗視機能を持つことができる。夜間または光が少ない環境下において、蓄光した光を放出し、はっきり球体の位置が分かることから、本来起こりうる事故を未然に防ぐことができる。また、吊るすことにより夜光インテリアや屋外広告看板となり、電力を節約することができる。通路、階段、玄関、避難路などに利用すれば、予期せぬ災害に遭った際に、避難に役立てることができる。
【図面の簡単な説明】
【０００９】
【図１】本考案の一実施形態によるバスケットボールを示す図である。
【図２】本考案の一実施形態によるサッカーボールを示す図である。
【図３】本考案の一実施形態によるバレーボールを示す図である。
【図４】本考案の一実施形態による軟式テニスボールを示す図である。
【図５】本考案の一実施形態によるスカッシュボールを示す図である。
【図６】本考案の一実施形態によるゴルフボールを示す図である。
【図７】本考案の一実施形態によるゲートボールを示す図である。
【図８】本考案の一実施形態による暗視球体を示す断面図である。
【図９】本考案の一実施形態による暗視球体を示すもう一つの断面図である。
【図１０】本考案の暗視球体による室内装飾を示す図である。
【図１１】本考案の暗視球体による屋外広告看板を示す図である。
【考案を実施するための形態】
【００１０】
以下、本考案の実施形態を図面に基づいて説明する。
【００１１】
図１〜７を参照する。図１は、本考案の一実施形態によるバスケットボールを示す図である。図２は、本考案の一実施形態によるサッカーボールを示す図である。図３は、本考案の一実施形態によるバレーボールを示す図である。図４は、本考案の一実施形態による軟式テニスボールを示す図である。図５は、本考案の一実施形態によるスカッシュボールを示す図である。図６は、本考案の一実施形態によるゴルフボールを示す図である。図７は、本考案の一実施形態によるゲートボールを示す図である。
図１〜４に示すように、本考案の暗視球体１０は、バスケットボール、バレーボール、サッカーボール、軟式テニスボールなどの充気式ボールでもよく、図５〜７に示すように、スカッシュボール、ゴルフボール、ゲートボールなどの中実ボールでもよい。また、球体１０は、ゴム、ビニール、ＡＢＳ、ＰＶＣなど弾力を有する材料からなり、充気式ボールおよび中実ボールの機能により標準サイズで製造され、ボールの機能およびニーズにより球面に凹んだ紋様を形成する。
【００１２】
夜間または光が少ない環境下において、球体１０に暗視効果を持たせるため、少なくとも球体１０の表面に夜光構造層１２を設けるか、夜光構造層１２を全球体１０の厚さにして製造する。すなわち、夜光構造層１２が球体１０の表面にのみ設けられていてもよいし、夜光構造層１２が球体１０を形成する材料の厚み部分として設けられていてもよいし、夜光構造層１２が全球体１０の全体として設けられるように製造されてもよい。夜光構造層１２は、蓄光特性を有する蓄光パウダー１３を内部に混入することにより、夜光構造層１２に蓄光機能を持たせ、日光または照明の光を蓄光し、夜間照明がない環境下で夜光効果を有する。夜光効果は、少なくとも４〜５時間継続する。球体１０は、昼間および光線が十分な環境下で使用できる以外、夜光構造層１２により夜光効果を有するため、夜間または光線が不十分な環境下でもはっきり球体１０の位置が分かることから、本来起こりうる事故を未然に防ぐことができる。また、暗闇における暗視効果で、ゲーム、スポーツなどの使用中に視覚的な楽しみが得られる。
【００１３】
図８および図９を参照する。図８は、本考案の一実施形態による暗視球体を示す断面図である。図９は、本考案の一実施形態による暗視球体を示すもう一つの断面図である。図８および図９に示すように、球体１０の夜光構造層１２による夜光効果以外に、球面に紋様１１が設けられている場合、球体１０の色と同じ系統色または異なる系統色の蓄光パウダー１３を紋様１１内に塗布し、紋様１１に顕著な夜光効果を持たせることができる。これにより、球体１０全体の外観が、夜間または光の足りない環境下で多様な視覚変化を有し、球体１０自体の機能以外にさらにアピールすることができる。
【００１４】
図１０および図１１を参照する。図１０は、本考案の暗視球体による室内装飾を示す図である。図１１は、本考案の暗視球体による屋外広告看板を示す図である。図１０および図１１に示すように、本考案の球体１０は、夜光構造層１２による夜光効果を基本的な機能とする以外に、室内インテリアとしても利用することができる。球体１０を天井から吊るすと、球体１０の夜光効果により夜光インテリアとなり、夜光による雰囲気を作り出す。また、屋外広告看板にすると、省エネ効果がある。通路、階段、玄関、避難路などに利用すれば、予期せぬ災害に遭った際に、吊るされた球体１０が発光して避難のガイドをし、球体１０としての使用機能に勝る働きをする。
【００１５】
以上のように、本考案の球体１０は、構造機能に悪影響を与えない範囲で、夜光構造層１２を設けることにより各種光源の蓄光を行い、暗視機能を有する。本考案の球体１０は、夜間または光が少ない環境下において、蓄光した光を放出し、夜間の歩行の助けとなり、安全をもたらす。本考案の球体１０を吊るすことにより、夜光インテリア（例えば夜光効果により吊るす夜光インテリアなど）や屋外広告看板（例えば燐光による屋外広告看板など）とすることもでき、省エネという現実的な効果を有する。また、本考案の球体１０を通路、階段、玄関、避難路などに利用すれば燐光により光源として機能し、予期せぬ災害に遭った際に、避難に役立ち、従来の用途を越えた働きをすることができる。
【００１６】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１７】
１０  球体
１１  紋様
１２  夜光構造層
１３  蓄光パウダー
【図１】
0003198584.tif 000003
【図２】
0003198584.tif 000004
【図３】
0003198584.tif 000005
【図４】
0003198584.tif 000006
【図５】
0003198584.tif 000007
【図６】
0003198584.tif 000008
【図７】
0003198584.tif 000009
【図８】
0003198584.tif 000010
【図９】
0003198584.tif 000011
【図１０】
0003198584.tif 000012
【図１１】
0003198584.tif 000013